(57)【要約】【課題】情報表示機器の利用者が、放映している複数番組の番組情報を同時にリアルタイムで知ることが望まれる。【解決手段】番組情報送信機器は、放映中の複数番組の番組情報を番組情報送信機器または周辺の受信装置付き機器から繰り返し取得する。テレビをはじめとする放送受信機器や番組情報表示機器は、前記番組情報送信機器から番組情報を繰り返し取得して保存し表示する。番組情報は例えば５分ごとに更新され、１０分ごとに時間を区切って保存され表示される。【選択図】図２
2012010152.tif 000002
【特許請求の範囲】
【請求項１】
文字情報を伴う番組を受信しネットワークを介して他の機器と通信を行う番組情報送信機器であって、
前記文字情報を伴う番組を受信する受信装置と、
前記受信装置が受信した番組データを管理する受信装置管理処理部と、
前記受信装置管理処理部が管理する番組データから文字情報を抽出して管理する文字情報管理処理部と、
前記文字情報管理処理部が管理する文字情報を保存する文字情報管理データベースと、
前記ネットワークに接続された他の機器からの文字情報取得要求を管理する接続要求受付管理処理部と、
前記接続要求受付管理処理部が前記文字情報取得要求を受信した場合には前記文字情報管理データベースに保存された複数の番組の文字情報を前記ネットワークに接続された他の機器へ送信する通信装置と、
前記文字情報を表示する表示部
を有することを特徴とする番組情報送信機器。
【請求項２】
請求項１に記載の番組情報送信機器において、前記受信装置は前記受信装置管理処理部より個別に管理される複数の受信装置を含むことを特徴とする番組情報送信機器。
【請求項３】
請求項１に記載の番組情報送信機器において、
前記ネットワークに接続された他の機器から前記文字情報を取得可能であるか否かを判断する接続確認管理処理部と、
前記ネットワークに接続された他の機器に対して文字情報を繰り返し要求して取得する情報要求管理処理部
を有することを特徴とする番組情報送信機器。
【請求項４】
請求項１に記載の番組情報送信機器において、前記文字情報は、前記受信装置が受信した電子番組表ガイドに含まれる番組情報、番組に含まれる字幕情報、番組に含まれるテロップのうちの少なくも一つであることを特徴とする番組情報送信機器。
【請求項５】
請求項１に記載の番組情報送信機器において、
前記ネットワークに接続された他の機器に対して前記番組の文字情報の保持状況を通知する状況通知管理処理部を備え、
前記接続要求受付管理処理部が前記他の機器から放映済み番組の文字情報取得要求を受信した場合には、前記文字情報管理処理部は前記放映済み番組の文字情報を保持しているか否かを確認し、前記放映済み番組の文字情報を保持している場合には、前記状況通知管理処理部は、前記他の機器に対して前記放映済み番組の文字情報を送信することを特徴とする番組情報送信機器。
【請求項６】
請求項１に記載の番組情報送信機器において、前記ネットワークを介して接続された他の機器は、PC、ゲーム機、情報端末をはじめとする番組情報表示機器、もしくは、PC、ゲーム機、携帯電話、レコーダをはじめとする受信装置付き機器、もしくは請求項１に記載と同様の番組情報送信機器であることを特徴とする番組情報送信機器。
【請求項７】
文字情報を伴う番組を受信しネットワークを介して他の機器と通信を行う受信装置付き機器であって、
前記文字情報を伴う番組を受信する受信装置と、
前記受信装置が受信した番組データを管理する受信装置管理処理部と、
前記受信装置管理処理部が管理する番組データから文字情報を抽出して管理する文字情報管理処理部と、
前記文字情報管理処理部が管理する文字情報を保存する文字情報管理データベースと、
前記ネットワークに接続された他の機器からの文字情報取得要求を管理する接続要求受付管理処理部と、
前記接続要求受付管理処理部が前記文字情報取得要求を受信した場合には前記文字情報管理データベースに保存された複数の番組の文字情報を前記ネットワークに接続された他の機器へ送信する通信装置
を有することを特徴とする受信装置付き機器。
【請求項８】
請求項７に記載の受信装置付き機器において、前記受信装置は前記受信装置管理処理部より個別に管理される複数の受信装置を含むことを特徴とする受信装置付き機器。
【請求項９】
請求項７に記載の受信装置付き機器において、前記文字情報は、前記受信装置が受信した電子番組表ガイドに含まれる番組情報、番組に含まれる字幕情報、番組に含まれるテロップのうちの少なくも一つであることを特徴とする受信装置付き機器。
【請求項１０】
文字情報を伴う番組を受信しネットワークを介して他の機器と通信を行う番組情報表示機器であって、
前記ネットワークに接続された他の機器に対して文字情報を繰り返し要求して取得する情報要求管理処理部と、
前記情報要求管理処理部が取得した文字情報を管理する文字情報管理処理部と、
前記文字情報管理処理部が管理する文字情報を保存する文字情報管理データベースと、
前記文字情報を表示する表示部
を有することを特徴とする番組情報表示機器。
【請求項１１】
請求項１０に記載の番組情報表示機器において、前記文字情報は、情報要求管理処理部が取得した電子番組表ガイドに含まれる番組情報、番組に含まれる字幕情報、番組に含まれるテロップのうちの少なくも一つであることを特徴とする番組情報表示機器。
【請求項１２】
請求項１０に記載の番組情報表示機器において、
前記他の機器が保持する前記番組の文字情報の保持状況を確認する状況受付管理処理部を備え、
前記他の機器が放映済み番組の文字情報の保持する場合には、前記情報要求管理処理部は、前記他の機器から前記放映済み番組の文字情報を取得することを特徴とする番組情報表示機器。
【発明の詳細な説明】
【技術分野】
【０００１】
本発明は番組情報送信機能を備えた番組情報送信機器、受信装置付き機器及び番組情報表示機能を備えた番組情報表示機器に係り、特に利用者が放映中の複数番組の内容をリアルタイムに知ることができる番組情報送信機器、受信装置付き機器及び番組情報表示機器に関する。
【背景技術】
【０００２】
近年、地上波だけでなく、衛星放送、ケーブル、インターネットなどを利用したテレビ放送が増えたため、同時刻に放映されるテレビ番組の数が増えてきた。
そのため、テレビ視聴者は、ある番組を視聴中に、同時刻に放映中の他番組の情報を知りたいことがある。他のテレビ番組について内容を取得するには、電子番組表ガイド（EPG; Electronic Program Guide）を使うことが多い。この方法を利用すれば、テレビ番組の情報を全局に渡って閲覧することが可能である（例えば特許文献１参照）。
【先行技術文献】
【特許文献】
【０００３】
【特許文献１】特開平１−３０７９４４号公報
【発明の概要】
【発明が解決しようとする課題】
【０００４】
しかしながら、特許文献１のEPGでは、全局の番組情報を閲覧できることが利点だが、知ることのできる情報は番組内容の概要のみであり、所定時間の番組の放送内容や進捗を利用者にリアルタイムに提示することに関しては考慮されていなかった。
本発明は、上記事情を鑑みてなされたものであり、本発明の目的は、利用者の利便性を損なわずに、放映中の複数番組の内容をリアルタイムに知らせる機能を持った番組情報送信機器、受信装置付き機器及び番組情報表示機器を提供することにある。
【課題を解決するための手段】
【０００５】
上述した課題を解決するため本発明は、文字情報を伴う番組を受信しネットワークを介して他の機器と通信を行う番組情報送信機器であって、
前記文字情報を伴う番組を受信する受信装置と、前記受信装置が受信した番組データを管理する受信装置管理処理部と、前記受信装置管理処理部が管理する番組データから文字情報を抽出して管理する文字情報管理処理部と、前記文字情報管理処理部が管理する文字情報を保存する文字情報管理データベースと、前記ネットワークに接続された他の機器からの文字情報取得要求を管理する接続要求受付管理処理部と、前記接続要求受付管理処理部が前記文字情報取得要求を受信した場合には前記文字情報管理データベースに保存された複数の番組の文字情報を前記ネットワークに接続された他の機器へ送信する通信装置と、前記文字情報を表示する表示部を有することを特徴としている。
【０００６】
また本発明は、文字情報を伴う番組を受信しネットワークを介して他の機器と通信を行う受信装置付き機器であって、
前記文字情報を伴う番組を受信する受信装置と、前記受信装置が受信した番組データを管理する受信装置管理処理部と、前記受信装置管理処理部が管理する番組データから文字情報を抽出して管理する文字情報管理処理部と、前記文字情報管理処理部が管理する文字情報を保存する文字情報管理データベースと、前記ネットワークに接続された他の機器からの文字情報取得要求を管理する接続要求受付管理処理部と、前記接続要求受付管理処理部が前記文字情報取得要求を受信した場合には前記文字情報管理データベースに保存された複数の番組の文字情報を前記ネットワークに接続された他の機器へ送信する通信装置を有することを特徴としている。
【０００７】
また本発明は、文字情報を伴う番組を受信しネットワークを介して他の機器と通信を行う番組情報表示機器であって、
前記ネットワークに接続された他の機器に対して文字情報を繰り返し要求して取得する情報要求管理処理部と、前記情報要求管理処理部が取得した文字情報を管理する文字情報管理処理部と、前記文字情報管理処理部が管理する文字情報を保存する文字情報管理データベースと、前記文字情報を表示する表示部を有することを特徴としている。
【発明の効果】
【０００８】
本発明によれば、番組情報送信機器利用者または番組情報表示機器利用者は、放映中の複数番組の内容をリアルタイムに知ることができ、利用者に対する使い勝手の向上に寄与できるという効果がある。
【図面の簡単な説明】
【０００９】
【図１】本発明の実施形態における１利用形態を示す構成図である。
【図２】本発明の実施形態におけるテレビの概略構成を示した図である。
【図３】本発明の実施形態における番組情報表示機器の概略構成を示した図である。
【図４】本発明の実施形態における１利用形態を示す構成図である。
【図５】本発明の実施形態における受信装置付き機器の概略構成を示した図である。
【図６】本発明の実施形態におけるテレビ、番組情報表示機器、受信装置付き機器が持つ字幕情報管理データベース２５３１、３４３１、５３３１の例を示した図である。
【図７】本発明の実施形態における１利用形態を示す構成図である。
【図８】本発明の実施形態における１利用形態を示す構成図である。
【図９】本発明の実施例１におけるテレビが字幕情報を取得して番組情報表示機器に送信し、番組情報表示機器が受信した字幕情報を表示する場合の処理手順を示すフローである。
【図１０】本発明の実施例におけるテレビ、番組情報表示機器、受信装置付き機器が字幕情報管理データベース２５３１、３４３１、５３３１に字幕情報を保存する場合の処理手順を示すフローである。
【図１１】本発明の実施例におけるテレビ、受信装置付き機器が、番組データから字幕情報を抽出する場合の処理手順を示すフローである。
【図１２】本発明の実施形態における番組情報表示機器が現在放映中番組の字幕情報を画面に表示するときの例を示した図である。
【図１３】本発明の実施例２におけるテレビが字幕情報を取得し、表示する場合の処理手順を示すフローである。
【図１４】本発明の実施形態におけるテレビが現在放映中番組の字幕情報を画面に表示するときの例を示した図である。
【図１５】本発明の実施形態におけるテレビが現在放映中番組の字幕情報を画面に表示するときの例を示した図である。
【図１６】本発明の実施例３におけるテレビが受信装置付き機器から字幕情報を取得して番組情報表示機器へ送信し、番組情報表示機器が取得した字幕情報を表示する場合の処理手順を示すフローである。
【図１７】本発明の実施例４におけるテレビが受信装置付き機器から字幕情報を取得して、表示する場合の処理手順を示すフローである。
【図１８】本発明の実施例５におけるテレビと受信装置付き機器が字幕情報を取得し、テレビが字幕情報を表示する場合の処理手順を示すフローである。
【図１９】本発明の実施例６におけるテレビと受信装置付き機器が字幕情報を取得し、番組情報表示機器が字幕情報を表示する場合の処理手順を示すフローである。
【図２０】本発明の実施例７におけるテレビが字幕情報の取得を停止しているとき、取得済みの字幕情報を番組情報表示機器に送信し、番組情報表示機器が受信した字幕情報を表示する場合の処理手順を示すフローである。
【図２１】本発明の実施形態における番組情報表示機器が放映済み番組の字幕情報を画面に表示するときの例を示した図である。
【図２２】本発明の実施例８におけるテレビが字幕情報の取得を停止しているとき、取得済みの字幕情報をテレビに表示する場合の処理手順を示すフローである。
【図２３】本発明の実施形態におけるテレビが放映済み番組の字幕情報を画面に表示するときの例を示した図である。
【図２４】本発明の実施形態におけるテレビが放映済み番組の字幕情報を画面に表示するときの例を示した図である。
【図２５】本発明の実施形態における番組情報表示機器(データベースなし)の概略構成を示した図である。
【図２６】本発明の実施例９におけるテレビが字幕情報を取得し、番組情報表示機器(データベースなし)に送信し、番組情報表示機器(データベースなし)が受信した字幕情報を表示する場合の処理手順を示すフローである。
【発明を実施するための形態】
【００１０】
以下の実施例では、番組情報送信機器の例として番組情報送信機能を備えたテレビを用いて説明するが、番組情報送信機能を備えたPC、レコーダ、携帯電話、ゲーム機などの機器であってもよい。また、番組情報表示機器の例としてはPC、ゲーム機、携帯電話、あるいはリモコンがある。また、受信装置付き機器の例としては、PC、レコーダ、携帯電話、ゲーム機あるいはテレビがある。
【００１１】
まず、本発明の１実施形態における概略構成について、図１を用いて説明する。
図１は、本発明の１実施形態における構成を表すブロック図である。
この実施状況は、テレビと番組情報表示機器から構成される。テレビと番組情報表示機器は有線または無線で接続されている。有線の接続の例としてはイーサネット（登録商標）、USB(Universal Serial Bus)、IEEE1394、iLinkなどがある。無線の例としてはRF(Radio Frequency)、無線LAN、Bluetooth、赤外線などがある。
【００１２】
図２は本発明の１実施形態におけるテレビの構成を表すブロック図である。図１で示したテレビに相当している。
図２に示すように本実施例のテレビは、通信装置２１と、入力装置２２と、受信機能集合装置２３と、出力装置２４と、記録装置２５と、制御装置２６を有している。
通信装置２１は、例えば図１で示したような外部の番組情報表示機器や受信装置付き機器と通信を行い、また通信内容を制御装置２６に転送する装置である。通信方式の例としては、USB、IEEE1394、イーサネット、無線LAN(Local Area Network)、Bluetooth、赤外線などがある。通信内容の例としては、番組情報がある。
【００１３】
入力装置２２は、例えばリモコンをはじめとする番組情報表示機器がテレビに操作要求を行い、また情報取得要求を行う際の指令が入力される装置である。
受信機能集合装置２３は、受信装置２３１、２３２、２３３を有している。受信装置２３１、２３２、２３３はいずれもテレビ放送データを受信し、利用者が視聴可能な形式に信号処理する装置である。図では受信装置２３１、受信装置２３２、受信装置２３３の三つが取り付けられている場合を表示したが、受信装置はいくつ取り付けられていてもよい。受信装置の例としては、デジタルチューナ、アナログチューナ、ワンセグチューナなどがある。なお、テレビ放送データの受信元にはUHFアンテナ、VHFアンテナ、インターネット回線などがある。
【００１４】
出力装置２４は、受信機能集合装置２３で信号処理された映像や文字情報を出力する装置である。出力先の例としては、ブラウン管モニタ、液晶ディスプレイモニタ、プラズマディスプレイモニタ、有機ELディスプレイモニタ、タッチパネルディスプレイモニタなどがある。出力先はテレビ本体が有する前記したようなモニタでもよいし、通信装置２１を介して外部の番組情報表示機器に出力してもよい。
【００１５】
記録装置２５は、文字情報管理処理部２５１、状況通知管理処理部２５２、文字情報管理データベース２５３、情報要求管理処理部２５４、接続要求受付管理処理部２５５、受信装置管理処理部２５６、接続確認管理処理部２５７を有している。
文字情報管理処理部２５１は、字幕情報管理処理部２５１１とテロップ情報管理処理部２５１２を有している。
【００１６】
字幕情報管理処理部２５１１は、受信機能集合装置２３が持つ受信装置２３１、受信装置２３２、受信装置２３３が受信したデジタル番組データから字幕情報を抽出し、抽出した字幕情報を字幕情報管理データベース２５３１に保存し、字幕情報管理データベース２５３１に保存された字幕情報を通信装置２１あるいは出力装置２４へ出力し、また、字幕情報管理データベース２５３１を管理する処理部である。
【００１７】
テロップ情報管理処理部２５１２は、受信機能集合装置２３が持つ受信装置２３１、受信装置２３２、受信装置２３３が受信したデジタル番組データからテロップ情報を解析して抽出し、抽出したテロップ情報管理データベース２５３２に保存し、テロップ情報管理データベース２５３２に保存された字幕情報を通信装置２１あるいは出力装置２４へ出力し、また、テロップ情報管理データベース２５３２を管理する処理部である。
【００１８】
状況通知管理処理部２５２は、字幕情報管理処理部２５１１が確認した字幕情報データベース２５３１の状況を通知する管理処理部である。通知先の例としては、外部の受信装置付き機器または番組情報表示機器がある。
文字情報管理データベース２５３は、字幕情報管理データベース２５３１、テロップ情報管理データベース２５３２を有している。
【００１９】
字幕情報管理データベース２５３１は字幕情報管理処理部２５１１が変換した字幕情報を保存するデータベースである。
テロップ情報管理データベース２５３２は、テロップ情報管理処理部２５１２が変換したテロップ情報を保存するデータベースである。
情報要求管理処理部２５４は、通信装置２１を通して外部の受信装置付き機器へ情報を要求する処理部である。この処理部はテレビが起動しているとき、一定時間ごとに繰り返し実行される。
【００２０】
尚、以下では外部の番組情報表示機器がテレビに対して５秒ごとに繰り返し情報を要求する場合を用いて説明するが、この時間間隔は何秒であってもよい。また、要求する情報の例としては字幕情報またはテロップ情報がある。
接続要求受付管理処理部２５５は、外部の番組情報表示機器から要求を受けた時、字幕情報を要求された場合は字幕情報管理処理部２５１１へ、テロップ情報を要求された場合はテロップ情報管理処理部２５１２へ通知する処理部である。
【００２１】
受信装置管理処理部２５６は、受信装置２３１、受信装置２３２、受信装置２３３が起動しているか否か、各受信装置が字幕情報を取得したか否かを確認する管理処理部である。
接続確認管理処理部２５７は、通信装置２１を通じて外部の受信装置付き機器と接続し、該受信装置付き機器が字幕情報を送信可能か否かを問い合わせる管理処理部である。
制御装置２６は、通信装置２１から受けた通信内容を記録装置２５へ保存し、また、記録装置２５が保持している処理プログラムを実行し、機器全体の動作を制御する装置である。
【００２２】
以上、図２で本実施例におけるテレビについて説明したが、ここではテレビは放送を受信するだけではなく、受信機能集合装置２３で信号処理された映像や、特に文字情報を他の機器に対して出力する出力装置２４を有している。このため、例えば発明の名称や請求項において、テレビを番組情報送信機器と呼ぶことがある。
【００２３】
図３は、本発明の１実施形態における番組情報表示機器の構成を表すブロック図である。図１で示した番組情報表示機器に相当している。
図３に示すように本実施例の番組情報表示機器は、通信装置３１と、入力装置３２と、出力装置３３と、記録装置３４と、制御装置３５を有している。
通信装置３１は、前記したテレビと通信を行い、また通信内容を制御装置３５に転送する装置である。通信方式の例としては、USB(Universal Serial Bus)、IEEE1394、イーサネット、無線LAN(Local Area Network)、Bluetooth、赤外線などがある。
【００２４】
入力装置３２は、利用者が番組情報表示機器を操作するためのインタフェース装置である。インタフェース装置の例としては、ボタン、スイッチ、ダイアル、マウス、キーボード、タッチパネル、リモートコントローラ、加速度センサ、ジャイロセンサ、カメラ、地磁気センサなどがある。
【００２５】
出力装置３３は、記録装置３４の情報を出力する装置である。出力先の例としては、液晶ディスプレイモニタ、プラズマディスプレイモニタ、有機ELディスプレイモニタ、ブラウン管モニタ、タッチパネルディスプレイモニタなどがある。なお、出力先のモニタは番組情報表示機器と一体でもよい。また、出力先は、モニタでなくても、プロジェクタや他の映像表示機器であってもよい。
【００２６】
記録装置３４は、文字情報管理処理部３４１、状況受付管理処理部３４２、文字情報管理データベース３４３、情報要求管理処理部３４４を有している。
文字情報管理処理部３４１は、字幕情報管理処理部３４１１と、テロップ情報管理処理部３４１２を有している。
字幕情報管理処理部３４１１は、通信装置３１から受けた字幕情報を字幕情報管理データベース３４３１に保存し、字幕情報管理データベース３４３１に保存された字幕情報を出力装置３３へ出力し、また字幕情報管理データベース３４３１を管理する処理部である。
【００２７】
テロップ情報管理処理部３４１２は、通信装置３１から受けたテロップ情報をテロップ情報管理データベース３４３２に保存し、テロップ情報管理データベース３４３２に保存されたテロップ情報を出力装置３３へ出力し、また、テロップ情報管理データベース３４３２を管理する処理部である。
状況受付管理処理部３４２は、前記したテレビから受信した状況通知を受け付ける管理処理部である。
【００２８】
文字情報管理データベース３４３は、字幕情報管理データベース３４３１、テロップ情報管理データベース３４３２を有している。字幕情報管理データベース３４３１は、字幕情報管理処理部３４１１が管理する字幕情報を保存するデータベースである。テロップ情報管理データベース３４３２は、テロップ情報管理処理部３４１２が管理するテロップ情報を保存するデータベースである。
【００２９】
情報要求管理処理部３４４は、通信装置３１を通して前記したテレビへ情報を要求する処理部である。この処理部は番組情報表示機器が起動しているとき、一定時間ごとに繰り返し実行される。
本実施例では５秒ごとに繰り返し実行される例を説明するが、何秒であってもよい。また、要求する情報の例としては字幕情報またはテロップ情報がある。
【００３０】
制御装置３５は、通信装置３１から受けた通信内容を記録装置３４へ保存し、また、記録装置３４が保持している処理プログラムを実行し、機器全体の動作を制御する装置である。
本実施例の番組情報表示機器は、実施例１、実施例３、実施例６、実施例７にて説明に用いられる。
【００３１】
図４は本発明の１実施形態における構成を表すブロック図である。ただし、番組を受信するアンテナや電源ケーブルは省略してある。
この実施状況は、テレビと番組情報表示機器と受信装置付き機器から構成される。図では１つの受信装置付き機器がテレビと接続されている例を示したが、受信装置付き機器はいくつ接続されていてもよい。また、テレビと情報番組情報表示機器間、テレビと受信装置付き機器間は有線または無線で接続されている。有線の接続の例としてはイーサネット、USB(Universal Serial Bus)、IEEE1394、iLinkなどがある。無線の例としては無線LAN、Bluetooth、赤外線などがある。
【００３２】
図５は、本発明の１実施形態における受信装置付き機器の構成を表すブロック図である。図４で示した受信装置付き機器に相当している。
図５に示すように本実施例の受信装置付き機器は、通信装置５１と、受信機能集合装置５２と、記録装置５３と、制御装置５４を有している。
通信装置５１は、前記したテレビからのデータ受信要求を受け付けたり、データを送信したりする装置である。通信方式の例としては、USB、IEEE1394、イーサネット、無線LAN(Local Area Network)、Bluetooth、赤外線などがある。
【００３３】
受信機能集合装置５２は、受信装置５２１、５２２、５２３を有している。受信装置５２１、５２２、５２３はいずれもテレビ放送データを受信し、利用者が視聴可能な形式に信号処理する装置である。図では受信装置５２１、受信装置５２２、受信装置５２３の三つが取り付けられている場合を表示したが、受信装置はいくつ取り付けられていてもよい。受信装置の例としては、デジタルチューナ、アナログチューナ、ワンセグチューナなどがある。なお、テレビ放送データの受信元にはUHFアンテナ、VHFアンテナ、インターネット回線などがある。
【００３４】
記録装置５３は、文字情報管理処理部５３１、受信装置管理処理部５３２、文字情報管理データベース５３３、接続要求受付管理処理部５３４を有している。
文字情報管理処理部５３１は、字幕情報管理処理部５３１１とテロップ情報管理処理部５３１２を有している。
【００３５】
字幕情報管理処理部５３１１は、受信機能集合装置５２が持つ各受信装置が受信したデジタル番組データから字幕情報を抽出し、抽出した字幕情報管理データベース５３３１に保存し、字幕情報管理データベース５３３１に保存された字幕情報を通信装置２１へ出力し、また、字幕情報管理データベース５３３１を管理する処理部である。
【００３６】
テロップ情報管理処理部５３１２は、受信機能集合装置５２が持つ各受信装置が受信したデジタル番組データからテロップ情報を解析して抽出し、抽出したテロップ情報管理データベース５３３２に保存し、テロップ情報管理データベース５３３２に保存された字幕情報を通信装置５１へ出力し、また、テロップ情報管理データベース５３３２を管理する処理部である。
【００３７】
受信装置管理処理部５３２は、受信装置５２１、５２２、５２３が起動しているか否か、受信装置５２１、５２２、５２３が字幕情報を取得したか否かを確認する管理処理部である。
文字情報管理データベース５３３は、字幕情報管理データベース５３３１、テロップ情報管理データベース５３３２を有している。字幕情報管理データベース５３３１は字幕情報管理処理部５３１１が変換した字幕情報を保存するデータベースである。テロップ情報管理データベース５３３２は、テロップ情報管理処理部５３１２が変換したテロップ情報を保存するデータベースである。
【００３８】
接続要求受付管理処理部５３４は、テレビから接続要求を受けた時、字幕情報を要求された場合は字幕情報管理処理部５３１１へ、テロップ情報を要求された場合はテロップ情報管理処理部５３２へ通知する処理部である。
制御装置５４は、通信装置５１から受けた通信内容を記録装置５３へ保存し、また、その他記録装置５３が保持している処理プログラムを実行し、機器全体の動作を制御する装置である。
【００３９】
図６は、テレビの字幕情報管理データベース２５３１、テロップ情報管理データベース２５３２、番組情報表示機器の字幕情報管理データベース３４３１、テロップ情報管理データベース３４３２、受信装置付き機器の字幕情報管理データベース５３３１、テロップ情報管理データベース５３３２のデータ格納方法の例である。以下字幕情報を例にとって説明するが、テロップ情報であっても本発明の効果は変わらない。
【００４０】
各データベースには、現在視聴可能な全ての放送局ごとに１時間分の字幕情報が保存されている。６１は地上デジタル放送の０１１番、衛星デジタル放送の１０１番、衛星有料デジタル放送の１００番を例にとって番組の字幕情報が１０分単位の保存領域に保存されている例を示してあるが、受信可能な全ての選局番号について字幕情報を保存しても本発明の効果は変わらない。
【００４１】
尚、１０分単位ではなく任意の時間で区切って保存しても本発明の効果は変わらない。また、図６のTR011では６：２０から７：２０までの１時間分の字幕情報が保存されているが、７：１３現在において７：００−７：１０の字幕情報は約３分前に更新済みであり、７：１３現在の字幕情報は７：１０−７：２０の保存領域に記録されている。過去の字幕情報である６：２０から７：００までの字幕情報は以後現在時刻が７：２０を経過すると６：２０−６：３０から順番に更新されていく。
【００４２】
また、内容の欄には、前記時刻に応じた例えば字幕情報が格納される。字幕情報のリアルタイム性を高めるため、前記したように随時更新されて良い。例えば放送時間が１時間の番組において、従来のEPGでは１時間を通して全体に共通した番組情報が表示部に表示されるだけであり、現在どの場面が放送されているかを表示するようなリアルタイム性を欠いていた。本実施例では、例えば所定時間ごとに区切り、必要に応じて内容を更新しながら例えば字幕情報を提供することにより、利用者に対して放映中の複数番組の内容をリアルタイムに知らせることを一つの特徴としている。
【００４３】
また、送信／表示状況は、受信装置付き機器およびテレビが字幕情報を他の機器に送信した場合は、完了となり、送信していない場合、未完となる。また、送信／表示状況は、番組情報表示機器およびテレビが字幕情報を出力装置３３および２４に出力した場合、完了となり、出力していない場合、未完となる。
尚、図６には示していないが、６１の地上デジタル放送、衛星デジタル放送、衛星有料デジタル放送以外の放送波から入手した字幕情報を追加保存しても本発明の効果は変わらない。左記以外の放送波の例としては、ネットワークを通じた動画配信サイトがある。
【００４４】
図７は本発明の１実施形態における構成を表すブロック図である。ただし、番組を受信するアンテナや電源ケーブルは省略してある。
この実施状況は、テレビのみで構成される。
【００４５】
図８は本発明の１実施形態における構成を表すブロック図である。ただし、番組を受信するアンテナや電源ケーブルは省略してある。
この実施状況は、テレビと受信装置付き機器から構成される。図では１つの受信装置付き機器がテレビと接続されている例を示したが、受信装置付き機器はいくつ接続されていてもよい。また、テレビと受信装置付き機器間は有線または無線で接続されている。有線の接続の例としてはイーサネット、USB(Universal Serial Bus)、IEEE1394、iLinkなどがある。無線の例としては無線LAN、Bluetooth、赤外線などがある。
【００４６】
図２５は、本発明の１実施形態における番組情報表示機器(データベースなし)の構成を表すブロック図である。
図２５に示すように番組情報表示機器(データベースなし)は、通信装置２５０１と、入力装置２５０２と、出力装置２５０３と、記録装置２５０４と、制御装置２５０５を有している。
【００４７】
通信装置２５０１は、テレビと通信を行い、また通信内容を制御装置２５０５に転送する装置である。通信方式の例としては、USB(Universal Serial Bus)、IEEE1394、イーサネット、無線LAN(Local Area Network)、Bluetooth、赤外線などがある。
入力装置２５０２は、利用者が番組情報表示機器(データベースなし)を操作するインタフェース装置である。インタフェース装置の例としては、ボタン、スイッチ、ダイアル、マウス、キーボード、タッチパネル、リモートコントローラ、加速度センサ、ジャイロセンサ、カメラ、地磁気センサなどがある。
【００４８】
出力装置２５０３は、記録装置２５０４の情報を出力する装置である。出力先の例としては、液晶ディスプレイモニタ、プラズマディスプレイモニタ、有機ELディスプレイモニタ、ブラウン管モニタ、タッチパネルディスプレイモニタなどがある。なお、出力先のモニタは番組情報表示機器(データベースなし)と一体でもよい。また、出力先は、モニタでなくても、プロジェクタや他の映像表示機器であってもよい。
【００４９】
記録装置２５０４は、文字情報表示処理部２５０４１、状況受付管理処理部２５０４２、情報要求管理処理部２５０４３を有している。
文字情報表示処理部２５０４１は、字幕情報表示処理部２５０４１１と、テロップ情報表示処理部２５０４１２を有している。
字幕情報表示処理部２５０４１１は、通信装置２５０１から受けた字幕情報を出力装置２５０３へ出力する表示処理部である。
【００５０】
テロップ情報表示処理部２５０４１２は、通信装置２５０１から受けたテロップ情報を出力装置３３へ出力する表示処理部である。
状況受付管理処理部２５０４２は、前記したテレビから受信した状況通知を受け付ける管理処理部である。
情報要求管理処理部２５０４３は、通信装置２５０１を通して前記したテレビへ情報を要求する処理部である。この処理部は文字情報管理データベースを持たない番組情報表示機器が起動しているとき、一定時間ごとに繰り返し実行される。
【００５１】
本実施例では５秒ごとに繰り返し実行される例を説明するが、何秒であってもよい。また、要求する情報の例としては字幕情報またはテロップ情報がある。
制御装置２５０５は、記録装置２５０４が保持している処理プログラムを実行し、機器全体の動作を制御する装置である。
【００５２】
即ち、図２５で示した番組情報表示機器は図３と異なり、文字情報管理データベース３４３を有していない。
本実施例の文字情報管理データベースを持たない番組情報表示機器は、実施例９にて説明に用いられる。
【実施例１】
【００５３】
以下、本実施例におけるテレビが字幕情報を取得して番組情報表示機器に送信し、番組情報表示機器が受信した字幕情報を表示するまでの処理シーケンスについて、図９、図１０、図１１、図１２を用いて説明する。本実施例の構成は図１に示した通りである。
【００５４】
テレビにおいて、受信装置管理処理部２５６は、常時起動している受信装置２３１に番組データを受信させる(ステップＳ９００１、以下ステップの表記を省略する)。次に字幕情報管理処理部２５１１は、受信装置２３１が受信したデジタル番組データから字幕情報を抽出し(Ｓ９００２)、字幕情報管理処理部２５１１は、抽出した字幕情報を字幕情報管理データベース２５３１に保存する処理へ進む(Ｓ９００３)。
【００５５】
保存処理(Ｓ９００３)の詳細について図１０を用いて説明する。図１０のＳ１００は図９のＳ９００２と対応している。図１０のＳ１０１は図９のＳ９００９と対応している。
保存処理が開始されると、字幕情報管理処理部２５１１は字幕情報管理データベース２５３１を参照して、抽出した字幕情報の提供元放送局がデータベースに登録されているかを確認する(Ｓ１００１)。
【００５６】
登録されていない場合(Ｓ１００１のNo)、字幕情報管理処理部２５１１は、字幕情報管理データベース２５３１へ放送局の保存領域を新規登録する(Ｓ１００２)。続けて、字幕情報管理処理部２５１１は、抽出した字幕情報を保存領域へ保存して(Ｓ１００３)、Ｓ１０１へ進む。ここでのＳ１０１はＳ９００３と対応している。
【００５７】
データベースに登録されている場合(Ｓ１００１のYes)、字幕情報管理処理部２５１１は、抽出した字幕情報の提供元放送局の区切り保存領域が全て保存済みであるかを確認する(Ｓ１００４)。即ち、図６の字幕管理データベース６１において、区切りＮｏ．ごとに字幕情報が保存済みであるかを確認する。
【００５８】
保存済みでない領域がある場合(Ｓ１００４のNo)、字幕情報管理処理部２５１１は、抽出した字幕情報を該当する放送局の未保存の区切り保存領域へ保存し(Ｓ１００５)、Ｓ１０１へ進む。
保存済みである場合(Ｓ１００４のYes)、各時刻の中で現在時刻の時間単位で保存している区切り保存領域があるかを確認する(Ｓ１００６)。例えば図６では、現在時刻がPM7:13であるため、TR011では同じ７時台の時間帯にある区切りNo.1および2が現在時刻の時間単位で保存している区切り保存領域である。
【００５９】
現在時刻の時間単位で保存している領域がない場合(Ｓ１００６のNo)、字幕情報管理処理部２５１１は、抽出した字幕情報を放送局の保存領域No.1に保存し(Ｓ１００７)、Ｓ１０１へ進む。
現在時刻の時間単位で保存している領域がある場合(Ｓ１００６のYes)、字幕情報管理処理部２５１１は、現在時刻が最新の放送局の保存領域内にあるかを確認する(Ｓ１００８)。例えば図６では、現在時刻が7:13であるため、No.2の保存領域内に存在する。
【００６０】
現在時刻が最新の放送局の保存領域内にない場合(Ｓ１００８のNo)、字幕情報管理処理部２５１１は、字幕情報を次の区切りNoの保存領域に保存して(Ｓ１００９)、Ｓ１０１に進む。現在時刻が最新の放送局の保存領域内にある場合(Ｓ１００８のYes)、字幕情報管理処理部２５１１は、字幕情報を現在時刻が範囲内にある区切り保存領域へ保存し、例えば図６では保存領域No.2に保存し(Ｓ１０１０)、Ｓ１０１へ進む。
【００６１】
図１０は、テレビ、番組情報表示機器、受信装置付き機器の全てに共通する保存処理である。以降の説明ではＳ１００とＳ１０１を該当処理と対応づけ、内部の処理説明は省略する。
【００６２】
次に、番組情報表示機器において、情報要求管理処理部３４４がテレビへ字幕情報を要求する(図９のＳ９００４)。テレビにおいて、接続要求受付管理処理部２５５は、番組情報表示機器から字幕情報の要求を受けると字幕情報管理処理部２５１１へ通知し、字幕情報管理処理部２５１１が字幕情報管理データベース２５３１を参照して、図６で示した表示／送信状況が未完である字幕情報を番組情報表示機器へ送信する(Ｓ９００５)。番組情報表示機器において、字幕情報管理処理部３４１１が字幕情報を受信して、字幕情報管理データベース３４３１に保存する処理へ進む(Ｓ９００６)。保存処理(Ｓ９００６)の詳細については図１０と同様であるため説明を省略する。図１０のＳ１００は図９の番組情報表示機器の開始と対応しており、図１０のＳ１０１は図９のＳ９００７と対応している。また、ここでは、番組情報表示機器の保存処理であるため、字幕情報管理処理部３４１１が処理を実行し、字幕情報管理データベース３４３１に字幕情報が保存される。
【００６３】
番組情報表示機器において、字幕情報管理処理部３４１１は、Ｓ９００６で保存した字幕情報を出力装置３３へ出力し、例えば番組情報表示装置自身が有する表示部に字幕情報を表示する(Ｓ９００７)。続いて、字幕情報管理処理部３４１１は、テレビから次の字幕情報が新たに届いたか否かを確認する(Ｓ９００８)。届いた場合(Ｓ９００８のYes)、保存処理(Ｓ９００６)直前からＳ９００８までの処理が繰り返される。届いていない場合(Ｓ９００８のNo)、処理を終了する。
【００６４】
テレビにおいて、Ｓ９００３が終了すると、受信装置２３２、２３３から字幕情報を抽出する処理へ進む(Ｓ９００９)。字幕情報抽出処理(Ｓ９００９)の詳細について図１１を用いて説明する。図１１のＳ１１０は図７のＳ９００３と対応している。図１１のＳ１１１は図９のテレビの処理の終了と対応している。
【００６５】
字幕情報抽出処理が開始されると、受信装置管理処理部２５６は、受信機能集合装置２３が持つ受信装置２３２、２３３が起動しているか否かを確認する(Ｓ１１０１)。全ての受信装置が起動している場合(Ｓ１１０１のYes)、Ｓ１１０３へ進む。全ての受信装置が起動していない場合(Ｓ１１０１のNo)、受信装置管理処理部２５６が未起動受信装置を起動させる(Ｓ１１０２)。続けて、テレビにおいて、受信装置管理処理部２５６が、各受信装置に番組データを受信させる(Ｓ１１０３)。
【００６６】
次にテレビにおいて、字幕情報管理処理部２５１１は、受信装置２３２、２３３が受信したデジタル番組データから字幕情報を抽出し(Ｓ１１０４)、字幕情報管理処理部２５１１は、抽出した字幕情報を字幕情報管理データベース２５３１に保存する処理へ進む(Ｓ１１０５)。保存処理(Ｓ１１０５)の詳細については図１０と同様であるため説明を省略する。ただし、図１０でのＳ１００は図１１のＳ１１０４と対応している。図１０でのＳ１０１は図１１のＳ１１０７と対応している。
【００６７】
次に、テレビにおいて、字幕情報管理処理部２５１１が字幕情報管理データベース２５３１を参照して、表示／送信状況が未完である字幕情報を番組情報表示機器へ送信する(Ｓ１１０６)。送信後、受信装置管理処理部２５６が全ての受信装置から字幕情報を抽出したか否かを確認する(Ｓ１１０７)。全ての受信装置から字幕情報を抽出していない場合(Ｓ１１０７のNo)、他の受信装置に番組データを受信させる処理(Ｓ１１０３)以降の処理が繰り返される。全ての受信装置から字幕情報を抽出している場合(Ｓ１１０７のYes)、処理を終了する。
【００６８】
以上の処理がテレビと番組情報表示機器で実行されることで、番組情報表示機器が番組の字幕情報を取得し表示することが可能となる。Ｓ９００４以降の処理は５秒に１回繰り返し実施され、番組情報表示機器に表示される字幕情報は５秒に１回更新され、リアルタイム性のある字幕情報が表示される。
【００６９】
図１２は、字幕情報を取得した番組情報表示機器の画面構成例である。図では011から061までの放送局の字幕情報のみが表示されているが、スクロールさせることで他の放送局の字幕情報も表示可能である。また、図で示されている「現在」とは放送中の番組に関する字幕情報が表示されていることを示しており、強調表示されている。「過去」については実施例７で説明する。
【００７０】
尚、本実施例では、文字情報の例として、字幕情報を用いて説明したが、文字情報はテロップ情報であってもよい。その場合は、字幕情報管理処理部２５１１がテロップ情報管理処理部２５１２と置き換わり処理が実行され、扱う文字情報は字幕情報からテロップ情報となる。
【００７１】
尚、本実施例では、受信機能集合装置２３が常時起動している受信装置２３１を有している場合を用いて説明したが、常時起動している受信装置はいくつあってもよい。
尚、本実施例では、受信機能集合装置２３が未起動の受信装置２３２、２３３を有している場合を用いて説明したが、未起動の受信装置はいくつあってもよい。
【００７２】
本実施形態によれば、テレビは複数番組の字幕情報を取得する機能および番組情報表示機器へ複数番組の字幕情報を送信する機能を持ち、番組情報表示機器は複数番組の字幕情報を保存し、表示する機能を持つ。テレビは、番組情報表示機器から文字情報を要求された場合、まず常時起動している受信装置から取得し保存した字幕情報を優先的に送信するため、番組情報表示機器利用者は情報要求後、字幕情報の送信時間相当を待つだけで字幕情報を確認することができる。また、テレビは、字幕情報を送信後、別の受信装置を起動させ、字幕情報を取得する度に番組情報表示機器へ送信するため、番組情報表示機器利用者は常に何らかの字幕情報を閲覧可能となるので、情報確認までの待ち時間を気にすることなく、字幕情報を確認できる。
【００７３】
また、番組情報表示機器は、テレビに対する字幕情報要求を５秒に１回繰り返し実施し、テレビは番組情報表示機器からの要求に応じて字幕情報を送信するため、番組情報表示機器利用者は番組の進行に合わせて複数番組の字幕情報を確認することができる。
【実施例２】
【００７４】
以下、本実施例におけるテレビが字幕情報を取得し、表示するまでの処理シーケンスについて図１３を用いて説明する。本実施例の構成は図７に示した通りである。
テレビにおいて、受信装置管理処理部２５６は、常時起動している受信装置２３１に番組データを受信させる(Ｓ１３０１)。
【００７５】
次に字幕情報管理処理部２５１１は、常時起動している受信装置２３１が受信したデジタル番組データから字幕情報を抽出し(Ｓ１３０２)、字幕情報管理処理部２５１１は、抽出した字幕情報を字幕情報管理データベース２５３１に保存する処理へ進む(Ｓ１３０３)。保存処理(Ｓ１３０３)の詳細については図１０と同様であるため説明を省略する。図１０のＳ１００は図１１のＳ１３０２と対応している。図１０のＳ１０１は図１１のＳ１３０４またはＳ１３０６と対応している。
【００７６】
Ｓ１３０３で保存処理が終了後、テレビにおいて、字幕情報表示処理(Ｓ１３０４)と字幕情報抽出処理(Ｓ１３０６)が並行して実行される。ここでは字幕情報表示処理(Ｓ１３０４)より説明する。
【００７７】
字幕情報管理処理部２５１１は、Ｓ１３０３で保存した字幕情報を出力装置２４へ出力し、例えばテレビ自身が有する表示部に字幕情報を表示する(Ｓ１３０４)。続いて、字幕情報管理処理部２５１１は、未表示の字幕情報があるか否かを確認する(Ｓ１３０５)。未表示の字幕情報がある場合(Ｓ１３０５のYes)、Ｓ１３０４からＳ１３０５までの処理が繰り返される。未表示の字幕情報がない場合(Ｓ１３０５のNo)、処理を終了する。
【００７８】
同時に、テレビにおいて、保存処理(Ｓ１３０３)が終了後、字幕情報管理処理部２５１１は、字幕情報を抽出する処理へ進む(Ｓ１３０６)。字幕情報抽出処理は図１１のＳ１１０６を除いたものと同様であるため説明を省略する。ただし、図１１のＳ１１０が図１３のＳ１３０３と対応しており、図１１のＳ１１１が図１３のテレビの処理の終了と対応している。
【００７９】
図１４は、字幕情報を表示したテレビの画面構成例である。図では011から041までの放送局の字幕情報のみが表示されているが、スクロールさせることで他の放送局の字幕情報も表示可能である。また、図で示されている「現在」とは放送中の番組に関する字幕情報が表示されていることを示している。「過去」については実施例８で説明する。
【００８０】
図１５は、図１４と同じく字幕情報を取得したテレビの画面構成例である。動画表示領域を大きくとることで番組視聴の利便性により配慮した構成であるが、図１４の説明と同じくスクロールで他の放送局の字幕情報も表示可能である。そのため、図１４でも図１５の画面構成であっても本発明の効果は変わらない。
【００８１】
Ｓ１３０４以降の処理は５秒に１回繰り返し実施され、テレビに表示される字幕情報は５秒に１回更新される。
尚、本実施例では文字情報の例として、字幕情報を用いて説明したが、使用する文字情報はテロップ情報であってもよい。その場合は、字幕情報管理処理部２５１１がテロップ情報管理処理部２５１２と置き換わり処理が実行され、扱う文字情報は字幕情報からテロップ情報となる。
【００８２】
また本実施例では、受信機能集合装置２３が常時起動している受信装置２３１を有している場合を用いて説明したが、常時起動している受信装置はいくつあってもよい。
また本実施例では、受信機能集合装置２３が未起動の受信装置２３２、２３３を有している場合を用いて説明したが、未起動の受信装置はいくつあってもよい。
【００８３】
本実施形態によれば、テレビは複数番組の字幕情報を取得する機能および複数番組の字幕情報を保存し、表示する機能を持ち、まず常時起動している受信装置から取得し保存した字幕情報を優先的に表示するため、テレビ利用者は字幕情報の表示時間相当を待つだけで字幕情報を確認することができる。また、テレビは、字幕情報を表示後、別の受信装置を起動させ、字幕情報を取得する度に表示するため、テレビ利用者は常に何らかの字幕情報を閲覧可能となるので、情報確認までの待ち時間を気にすることなく、字幕情報を確認できる。
【実施例３】
【００８４】
以下、本実施例におけるテレビが受信装置付き機器から字幕情報を取得して番組情報表示機器へ送信し、番組情報表示機器が取得した字幕情報を表示するまでのシーケンスを図１６を用いて説明する。本実施例の構成は図４に示した通りである。
受信装置付き機器において、受信装置管理処理部５３２は、常時起動している受信装置５２１に番組データを受信させる(Ｓ１６０１)。
【００８５】
次に字幕情報管理処理部５３１１は、受信装置５２１が受信したデジタル番組データから字幕情報を抽出し(Ｓ１６０２)、字幕情報管理処理部５３１１は、抽出した字幕情報を字幕情報管理データベース５３３１に保存する処理へ進む(Ｓ１６０３)。保存処理(Ｓ１６０３)の詳細については図１０と同様であるため説明を省略する。図１０のＳ１００は図１６のＳ１６０２と対応している。図１０のＳ１０１は図１６のＳ１６０９と対応している。また、ここでは、受信装置付き機器の保存処理であるため、字幕情報管理処理部５３１１が処理を実行し、字幕情報管理データベース５３３１に字幕情報が保存される。
【００８６】
次に、番組情報表示機器において、情報要求管理処理部３４４がテレビへ字幕情報を要求する(Ｓ１６０４)。テレビにおいて、接続確認管理処理部２５７が、周囲に接続できる受信装置付き機器があるか否かを調べる(Ｓ１６０５)。接続できる受信装置付き機器がない場合(Ｓ１６０６のNo)、テレビは図９のＳ９００１の処理へ進み、以後テレビと番組情報表示機器は図９と同様の処理が進む。接続できる受信装置付き機器がある場合(Ｓ１６０６のYes)、情報要求管理処理部２５４が受信装置付き機器に字幕情報を要求する(Ｓ１６０７)。
【００８７】
受信装置付き機器において、テレビから字幕情報の要求を受けると、字幕情報管理処理部５３１１が字幕情報管理データベース５３３１を参照して、表示／送信状況が未完である字幕情報を番組情報表示機器へ送信する(Ｓ１６０８)。字幕情報を送信後、字幕情報管理処理部５３１１は字幕情報を抽出する処理へ進む(Ｓ１６０９)。字幕情報抽出処理は図１１と同様であるため説明を省略する。ただし、図１１のＳ１１０が図１６のＳ１６０３と対応しており、図１１のＳ１１１が図１６の受信装置付き機器の処理の終了と対応している。また、ここでは受信装置付き機器の処理であるため、受信装置管理処理部５３２が、受信機能集合装置５２を管理し、未起動の受信装置は受信装置５２２、５２３であり、字幕管理処理部５３１１が処理を実行し、字幕情報管理データベース５３３１に字幕情報が保存される。
【００８８】
次にテレビにおいて、Ｓ１６０８にて受信装置付き機器から字幕情報を受け取った後、字幕情報管理処理部２５１１は、抽出した字幕情報を字幕情報管理データベース２５３１に保存する処理へ進む(Ｓ１６１０)。保存処理(Ｓ１６１０)の詳細については図１０と同様であるため説明を省略する。ただし、図１０のＳ１００は図１６のＳ１６０６と対応しており、図１０のＳ１０１は図１６のＳ１６１１と対応している。
【００８９】
テレビにおいて、Ｓ１６１０の処理が終了後、字幕情報管理処理部２５１１が字幕情報管理データベース２５３１を参照して、表示／送信状況が未完である字幕情報を番組情報表示機器へ送信する(Ｓ１６１１)。
続いて、テレビにおいて、接続確認管理処理部２５７が、Ｓ１６０６で確認した全ての受信装置付き機器から字幕情報を受け取ったか否かを判断する(Ｓ１６１２)。全ての受信装置付き機器から字幕情報を受け取っていない場合(Ｓ１６１２のNo)、Ｓ１６１０からの処理を繰り返す。受け取った場合(Ｓ１６１２のYes)、処理を終了する。
【００９０】
番組情報表示機器において、テレビから字幕情報を受け取ると、字幕情報管理処理部５３１１は、取得した字幕情報を字幕情報管理データベース５３３１に保存する処理へ進む(Ｓ１６１３)。
保存処理(Ｓ１６１３)の詳細については図１０と同様であるため説明を省略する。図１０のＳ１００は図１６の番組情報表示機器の処理開始と対応している。図１０のＳ１０１は図１６のＳ１６１４と対応している。また、ここでは、番組情報表示機器の保存処理であるため、字幕情報管理処理部３４１１が処理を実行し、字幕情報管理データベース３４３１に字幕情報が保存される。
【００９１】
番組情報表示機器において、保存処理が終了すると、字幕情報管理処理部３４１１は、Ｓ１６１３で保存した字幕情報を出力装置３３へ出力し、例えば番組情報表示機器自身が有する表示部に字幕情報を表示する(Ｓ１６１４)。続いて、字幕情報管理処理部３４１１は、テレビから字幕情報が新たに届いたか否かを確認する(Ｓ１６１５)。届いた場合(Ｓ１６１５のYes)、保存処理(Ｓ１６１３)からＳ１６１５までの処理が繰り返される。届いていない場合(Ｓ１６１５のNo)、処理を終了する。
【００９２】
Ｓ１６０４以降の処理は５秒に１回繰り返し実施され、番組情報表示機器に表示される字幕情報は５秒に１回更新される。全ての受信装置付き機器から字幕情報を受け取らなかった場合(Ｓ１６１５のNo)、保存処理(Ｓ１６１３)からＳ１６１５までの処理が繰り返される。受け取った場合(Ｓ１６１５のYes)、処理を終了する。
【００９３】
尚、画面構成例は図１２と同様で良い。
また、ここでは受信装置付き機器のシーケンスが１台の場合で説明したが、受信装置付き機器は何台あっても本発明の効果は変わらない。
また、本実施例では文字情報の例として、字幕情報を用いて説明したが、使用する文字情報はテロップ情報であってもよい。その場合は、字幕情報管理処理部５３１１がテロップ情報管理処理部５３１２と置き換わり処理が実行され、扱う文字情報は字幕情報からテロップ情報となる。
【００９４】
尚、本実施例では、受信機能集合装置５３が常時起動している受信装置５２１を有している場合を用いて説明したが、常時起動している受信装置はいくつあってもよい。
また、本実施例では、受信機能集合装置５３が未起動の受信装置５２２、５２３を有している場合を用いて説明したが、未起動の受信装置はいくつあってもよい。
【００９５】
本実施形態によれば、受信装置付き機器はテレビへ複数番組の字幕情報を送信する機能を持ち、テレビは複数番組の字幕情報を取得する機能および番組情報表示機器へ複数番組の字幕情報を送信する機能を持ち、番組情報表示機器は複数番組の字幕情報を保存し、表示する機能を持つ。テレビは番組情報表示機器利用者から文字情報を要求された場合、複数の受信装置を有していない場合でも、周辺に受信装置付き機器があれば、受信装置付き機器から字幕情報を取得することができる。そのため、番組情報表示機器利用者は、複数の受信装置を有していないテレビに字幕情報を要求しても、複数の字幕情報を確認することができる。
【００９６】
また、テレビは、番組情報表示機器へ字幕情報を送信後、受信装置付き機器へ繰り返し字幕情報を要求し取得することができるため、複数の受信装置を有していなくても複数の字幕情報を保存できる。
また、受信装置付き機器は、テレビから字幕情報を要求された場合、まず常時起動している受信装置から取得し保存した字幕情報を優先的に送信してから未起動の受信装置を起動させ字幕情報を取得するため、テレビからの字幕情報の要求に対して常に応えることができる。
また、番組情報表示機器は、テレビに対する字幕情報要求を５秒に１回繰り返し実施し、テレビは番組情報表示機器からの要求に応じて字幕情報を送信するため、番組情報表示機器利用者は番組の進行に合わせて複数番組の字幕情報を確認することができる。
【実施例４】
【００９７】
以下、本実施例におけるテレビが受信装置付き機器から字幕情報を取得して、表示するまでのシーケンスを図１７に基づいて説明する。本実施例の構成は図８に示した通りである。
受信装置付き機器において、受信装置管理処理部５３２は、常時起動している受信装置５２１に番組データを受信させる(Ｓ１７０１)。
【００９８】
次に字幕情報管理処理部５３１１は、受信装置５２１が受信したデジタル番組データから字幕情報を抽出し(Ｓ１７０２)、字幕情報管理処理部５３１１は、抽出した字幕情報を字幕情報管理データベース５３３１に保存する処理へ進む(Ｓ１７０３)。保存処理(Ｓ１７０３)の詳細については図１０と同様であるため説明を省略する。図１０のＳ１００は図１７のＳ１７０２と対応している。図１０のＳ１０１は図１７のＳ１７０８と対応している。また、ここでは、受信装置付き機器の保存処理であるため、字幕情報管理処理部５３１１が処理を実行し、字幕情報管理データベース５３３１に字幕情報が保存される。
【００９９】
テレビにおいて、接続確認管理処理部２５７が、周囲に接続できる受信装置機器があるか否かを調べる(Ｓ１７０４)。接続できる受信装置付き機器がない場合(Ｓ１７０５のNo)、テレビは図１３のＳ１３０１の処理へ進み、以後テレビは図１３と同様の処理が進む。接続できる受信装置付き機器がある場合(Ｓ１７０５のYes)、情報要求管理処理部２５４が受信装置付き機器に字幕情報を要求する(Ｓ１７０６)。受信装置付き機器において、テレビから字幕情報の要求を受けると、字幕情報管理処理部５３１１が字幕情報管理データベース５３３１を参照して、表示／送信状況が未完である字幕情報を番組情報表示機器へ送信する(Ｓ１７０７)。字幕情報を送信後、字幕情報管理処理部５３１１は字幕情報を抽出する処理へ進む(Ｓ１７０８)。字幕情報抽出処理は図１１と同様であるため説明を省略する。ただし、図１１のＳ１１０が図１７のＳ１７０３と対応しており、図１１のＳ１１１が図１７の受信装置付き機器の処理の終了と対応している。また、ここでは受信装置付き機器の処理であるため、受信装置管理処理部５３２が、受信機能集合装置５２を管理し、未起動の受信装置は受信装置５２２、５２３であり、字幕管理処理部５３１１が処理を実行し、字幕情報管理データベース５３３１に字幕情報が保存される。
【０１００】
次にテレビにおいて、Ｓ１７０７にて受信装置付き機器から字幕情報を受け取った後、字幕情報管理処理部２５１１は、抽出した字幕情報を字幕情報管理データベース２５３１に保存する処理へ進む(Ｓ１７０９)。保存処理(Ｓ１７０９)の詳細については図１０と同様であるため説明を省略する。ただし、図１０のＳ１００は図１７のＳ１７０５と対応しており、図１０のＳ１０１は図１７のＳ１７１０と対応している。
【０１０１】
テレビにおいて、字幕情報管理処理部２５１１は、Ｓ１７０９で保存した字幕情報を出力装置２４へ出力し、例えばテレビ自身が有する表示部に字幕情報を表示する(Ｓ１７１０)。続いて、字幕情報管理処理部２５１１は、全ての受信装置付き機器から字幕情報を受け取ったか否かを確認する(Ｓ１７１１)。全ての受信装置付き機器から字幕情報を受け取らなかった場合(Ｓ１７１１のNo)、保存処理(Ｓ１７０９)からＳ１７１１までの処理が繰り返される。受け取った場合(Ｓ１７１１のYes)、処理を終了する。Ｓ１７０６以降の処理は５秒に１回繰り返し実施され、テレビに表示される字幕情報は５秒に１回更新される。
【０１０２】
尚、画面構成例は図１４または図１５と同様で良い。
また、ここでは受信装置付き機器のシーケンスが１台の場合で説明したが、受信装置付き機器は何台あっても本発明の効果は変わらない。
また、本実施例では文字情報の例として、字幕情報を用いて説明したが、使用する文字情報はテロップ情報であってもよい。その場合は、字幕情報管理処理部５３１１がテロップ情報管理処理部５３１２と置き換わり処理が実行され、扱う文字情報は字幕情報からテロップ情報となる。
【０１０３】
尚、本実施例では、受信機能集合装置５３が常時起動している受信装置５２１を有している場合を用いて説明したが、常時起動している受信装置はいくつあってもよい。
また、本実施例では、受信機能集合装置５３が未起動の受信装置５２２、５２３を有している場合を用いて説明したが、未起動の受信装置はいくつあってもよい。
【０１０４】
本実施形態によれば、受信装置付き機器はテレビへ複数番組の字幕情報を送信する機能を持ち、テレビは複数番組の字幕情報を取得する機能および複数番組の字幕情報を表示する機能を持つ。受信装置付き機器はテレビから文字情報を要求された場合、まず常時起動している受信装置から取得し保存した字幕情報を優先的に送信するため、テレビ利用者は情報要求後、字幕情報の送信時間相当を待つだけで字幕情報を確認することができる。また、受信装置付き機器は、字幕情報を送信後、別の受信装置を起動させ、字幕情報を取得する度にテレビへ送信するため、テレビ利用者は常に何らかの字幕情報を閲覧可能となるので、情報確認までの待ち時間を気にすることなく、字幕情報を確認できる。
また、テレビは、受信装置付き機器に対する字幕情報要求を５秒に１回繰り返し実施し、受信装置付き機器はテレビからの要求に応じて字幕情報を送信するため、テレビ利用者は番組の進行に合わせて複数番組の字幕情報を確認することができる。
【実施例５】
【０１０５】
以下、本実施例におけるテレビと受信装置付き機器が字幕情報を取得し、テレビが字幕情報を表示するまでの処理シーケンスを図１８に基づいて説明する。本実施例の構成は図８に示した通りである。
【０１０６】
受信装置付き機器において、受信装置管理処理部５３２は、常時起動している受信装置５２１に番組データを受信させる(Ｓ１８０１)。字幕情報管理処理部５３１１は、受信装置５２１が受信したデジタル番組データから字幕情報を抽出し(Ｓ１８０２)、字幕情報管理処理部５３１１は、抽出した字幕情報を字幕情報管理データベース５３３１に保存する処理へ進む(Ｓ１８０３)。保存処理(Ｓ１８０３)の詳細については図１０と同様であるため説明を省略する。図１０のＳ１００は図１８のＳ１８０２と対応している。図１０のＳ１０１は図１８のＳ１８１１と対応している。また、ここでは、受信装置付き機器の保存処理であるため、字幕情報管理処理部５３１１が処理を実行し、字幕情報管理データベース５３３１に字幕情報が保存される。
【０１０７】
テレビにおいて、受信装置管理処理部２５６は、常時起動している受信装置２３１に番組データを受信させる(Ｓ１８０４)。次に字幕情報管理処理部２５１１は、受信装置２３１が受信したデジタル番組データから字幕情報を抽出し(Ｓ１８０５)、字幕情報管理処理部２５１１は、抽出した字幕情報を字幕情報管理データベース２５３１に保存する処理へ進む(Ｓ１８０６)。保存処理(Ｓ１８０６)の詳細については図１０と同様であるため説明を省略する。図１０のＳ１００は図１８のＳ１８０５と対応している。図１０のＳ１０１は図１８のＳ１８０７またはＳ１８０８と対応している。Ｓ１８０６で保存処理が終了後、テレビにおいて、字幕情報抽出処理(Ｓ１８０７)と受信装置付き機器の接続確認処理(Ｓ１８０８)が並行して実行される。ここでは字幕情報表示処理(Ｓ１８０７)より説明する。
【０１０８】
テレビにおいて、保存処理が終了後、字幕情報管理処理部２５１１は字幕情報を抽出する処理へ進む(Ｓ１８０７)。字幕情報抽出処理は図１１のＳ１１０６を除いたものと同様であるため説明を省略する。ただし、図１１のＳ１１０が図１８のＳ１８０６と対応しており、図１１のＳ１１１が図１８のテレビの処理の終了と対応している。
【０１０９】
同時にテレビにおいて、接続確認管理処理部２５７が、周囲に接続できる受信装置機器があるか否かを調べる(Ｓ１８０８)。接続できる受信装置付き機器がない場合(Ｓ１８０９のNo)、テレビは図１３のＳ１３０４の処理へ進み、以後テレビは図１３と同様の処理が進む。接続できる受信装置付き機器がある場合(Ｓ１８０９のYes)、情報要求管理処理部２５４が受信装置付き機器に字幕情報を要求する(Ｓ１８１０)。
【０１１０】
受信装置付き機器において、テレビから字幕情報の要求を受けると、字幕情報管理処理部５３１１が字幕情報管理データベース５３３１を参照して、表示／送信状況が未完である字幕情報を番組情報表示機器へ送信する(Ｓ１８１１)。字幕情報を送信後、字幕情報管理処理部５３１１は字幕情報を抽出する処理へ進む(Ｓ１８１２)。字幕情報抽出処理は図１１と同様であるため説明を省略する。ただし、図１１のＳ１１０が図１８のＳ１８０３と対応しており、図１１のＳ１１１が図１８の受信装置付き機器の処理の終了と対応している。また、ここでは受信装置付き機器の処理であるため、受信装置管理処理部５３２が、受信機能集合装置５２を管理し、未起動の受信装置は受信装置５２２、５２３であり、字幕管理処理部５３１１が処理を実行し、字幕情報管理データベース５３３１に字幕情報が保存される。
【０１１１】
次にテレビにおいて、Ｓ１８１１にて受信装置付き機器から字幕情報を受け取った後、字幕情報管理処理部２５１１は、抽出した字幕情報を字幕情報管理データベース２５３１に保存する処理へ進む(Ｓ１８１３)。保存処理(Ｓ１８１３)の詳細については図１０と同様であるため説明を省略する。ただし、図１０のＳ１００は図１８のＳ１８０９と対応しており、図１０のＳ１０１は図１８のＳ１８１４と対応している。
【０１１２】
テレビにおいて、字幕情報管理処理部２５１１は、Ｓ１８１３で保存した字幕情報を出力装置２４へ出力し、例えばテレビ自身が有する表示部に字幕情報を表示する(Ｓ１８１４)。続いて、字幕情報管理処理部２５１１は、全ての受信装置付き機器から字幕情報を受け取ったか否かを確認する(Ｓ１８１５)。全ての受信装置付き機器から字幕情報を受け取らなかった場合(Ｓ１８１５のNo)、保存処理(Ｓ１８１３)からＳ１８１５までの処理が繰り返される。受け取った場合(Ｓ１８１５のYes)、処理を終了する。
【０１１３】
Ｓ１８１０以降の処理は５秒に１回繰り返し実施され、テレビに表示される字幕情報は５秒に１回更新される。
尚、本実施例では文字情報の例として、字幕情報を用いて説明したが、使用する文字情報はテロップ情報であってもよい。その場合は、字幕情報管理処理部２５１１、字幕情報管理処理部５３１１、字幕情報管理データベース２５３１、字幕情報管理データベース５３３１が、それぞれテロップ情報管理処理部２５１２、テロップ情報管理処理部５３１２、テロップ情報管理データベース２５３２、字幕情報管理データベース５３３２と置き換わり処理が実行され、扱う文字情報は字幕情報からテロップ情報となる。
【０１１４】
また、本実施例では、受信機能集合装置２３が常時起動している受信装置２３１を有している場合を用いて説明したが、常時起動している受信装置はいくつあってもよい。
また、本実施例では、受信機能集合装置２３が未起動の受信装置２３２、２３３を有している場合を用いて説明したが、未起動の受信装置はいくつあってもよい。
尚、本実施例では、受信機能集合装置５３が常時起動している受信装置５２１を有している場合を用いて説明したが、常時起動している受信装置はいくつあってもよい。
また、本実施例では、受信機能集合装置５３が未起動の受信装置５２２、５２３を有している場合を用いて説明したが、未起動の受信装置はいくつあってもよい。
【０１１５】
本実施形態によれば、受信装置付き機器はテレビへ複数番組の字幕情報を送信する機能を持ち、テレビは複数番組の字幕情報を取得する機能を持つ。受信装置付き機器はテレビから字幕情報を要求された場合、まず常時起動している受信装置から取得し保存した字幕情報をテレビへ送信し、テレビはまず常時起動している受信装置から取得し保存した字幕情報を表示する。そのため、テレビ利用者は情報要求後、字幕情報表示時間相当を待つだけで字幕情報を確認することができる。また、テレビは字幕情報を表示後、続けて受信装置付き機器から取得し保存した字幕情報を表示できるため、複数番組の字幕情報を実施例４と比べてより早く表示できる。
【０１１６】
また、受信装置付き機器はテレビへ字幕情報を送信後、別の受信装置を起動させ、字幕情報を取得する度にテレビへ送信し、テレビは字幕情報を表示後、別の受信装置を起動させ、字幕情報を取得するたびに表示する。そのため、テレビは２種類の機器から字幕情報を取得できるため、複数番組の字幕情報を実施例４と比べてより早く取得可能となる。さらに、テレビ利用者は常に何らかの字幕情報を閲覧可能となるため、情報確認までの待ち時間を気にすることなく、字幕情報を確認できる。
また、テレビは、受信装置付き機器に対する字幕情報要求を５秒に１回繰り返し実施し、受信装置付き機器はテレビからの要求に応じて字幕情報を送信するため、テレビ利用者は番組の進行に合わせて複数番組の字幕情報を確認することができる。
【実施例６】
【０１１７】
以下、本実施例におけるテレビと受信装置付き機器が字幕情報を取得し、番組情報表示機器が字幕情報を表示するまでの処理シーケンスを図１９に基づいて説明する。本実施例の構成は図４に示した通りである。
【０１１８】
受信装置付き機器において、受信装置管理処理部５３２は、常時起動している受信装置５２１に番組データを受信させる(Ｓ１９０１)。次に字幕情報管理処理部５３１１は、受信装置５２１が受信したデジタル番組データから字幕情報を抽出し(Ｓ１９０２)、字幕情報管理処理部５３１１は、抽出した字幕情報を字幕情報管理データベース５３３１に保存する処理へ進む(Ｓ１９０３)。保存処理(Ｓ１９０３)の詳細については図１０と同様であるため説明を省略する。図１０のＳ１００は図１９のＳ１９０２と対応している。図１０のＳ１０１は図１９のＳ１９１４と対応している。また、ここでは、受信装置付き機器の保存処理であるため、字幕情報管理処理部５３１１が処理を実行し、字幕情報管理データベース５３３１に字幕情報が保存される。
【０１１９】
テレビにおいて、受信装置管理処理部２５６は、常時起動している受信装置２３１に番組データを受信させる(Ｓ１９０４)。次に字幕情報管理処理部２５１１は、受信装置２３１が受信したデジタル番組データから字幕情報を抽出し(Ｓ１９０５)、字幕情報管理処理部２５１１は、抽出した字幕情報を字幕情報管理データベース２５３１に保存する処理へ進む(Ｓ１９０６)。保存処理(Ｓ１９０６)の詳細については図１０と同様であるため説明を省略する。図１０のＳ１００は図１１のＳ１９０５と対応している。図１０のＳ１０１は図１１のＳ１９０９またはＳ１９１１と対応している。
【０１２０】
次に番組情報表示機器において、情報要求管理処理部３４４がテレビへ字幕情報を要求する(Ｓ１９０７)。テレビにおいて、字幕情報管理処理部２５１１が字幕情報管理データベース２５３１を参照して、表示／送信状況が未完である字幕情報を番組情報表示機器へ送信する(Ｓ１９０８)。Ｓ１９０８で字幕情報送信処理が終了後、テレビにおいて、字幕情報抽出処理(Ｓ１９０９)と受信装置付き機器の接続確認処理(Ｓ１９１０)が並行して実行される。ここでは字幕情報表示処理(Ｓ１９０９)より説明する。
【０１２１】
テレビにおいて、Ｓ１９０６にて保存処理が終了すると、字幕情報管理処理部２５１１は字幕情報を抽出する処理へ進む(Ｓ１９０９)。字幕情報抽出処理は図１１と同様であるため説明を省略する。ただし、図１１のＳ１１０が図１９のＳ１９０３と対応しており、図１１のＳ１１１が図１９のテレビの処理の終了と対応している。
【０１２２】
同時に、テレビにおいて、接続確認管理処理部２５７が、周囲に接続できる受信装置機器があるか否かを調べる(Ｓ１９１０)。接続できる受信装置付き機器がない場合(Ｓ１９１０のNo)、Ｓ１９０９の処理に進む。接続できる受信装置付き機器がある場合(Ｓ１９１１のYes)、情報要求管理処理部２５４が受信装置付き機器に字幕情報を要求する(Ｓ１９１２)。
【０１２３】
受信装置付き機器において、テレビから字幕情報の要求を受けると、字幕情報管理処理部５３１１が字幕情報管理データベース５３３１を参照して、表示／送信状況が未完である字幕情報を番組情報表示機器へ送信する(Ｓ１９１３)。字幕情報を送信後、字幕情報管理処理部５３１１は字幕情報を抽出する処理へ進む(Ｓ１９１４)。字幕情報抽出処理は図１１と同様であるため説明を省略する。ただし、図１１のＳ１１０が図１９のＳ１９０３と対応しており、図１１のＳ１１１が図１９の受信装置付き機器の処理の終了と対応している。また、ここでは受信装置付き機器の処理であるため、受信装置管理処理部５３２が、受信機能集合装置５２を管理し、未起動の受信装置は受信装置５２２、５２３であり、字幕管理処理部５３１１が処理を実行し、字幕情報管理データベース５３３１に字幕情報が保存される。
【０１２４】
次にテレビにおいて、Ｓ１９１３にて受信装置付き機器から字幕情報を受け取った後、字幕情報管理処理部２５１１は、抽出した字幕情報を字幕情報管理データベース２５３１に保存する処理へ進む(Ｓ１９１５)。保存処理(Ｓ１９１５)の詳細については図１０と同様であるため説明を省略する。ただし、図１０のＳ１００は図１９のＳ１９１１と対応しており、図１０のＳ１０１は図１９のＳ１９１６と対応している。
【０１２５】
テレビにおいて、Ｓ１９１５の処理が終了後、字幕情報管理処理部２５１１が字幕情報管理データベース２５３１を参照して、表示／送信状況が未完である字幕情報を番組情報表示機器へ送信する(Ｓ１９１６)。
続けて、テレビにおいて、接続確認管理処理部２５７が、Ｓ１９１０で確認した全ての受信装置付き機器から字幕情報を受け取ったか否かを判断する(Ｓ１９１７)。全ての受信装置付き機器から字幕情報を受け取っていない場合(Ｓ１９１７のNo)、Ｓ１９１５直後の処理を繰り返す。受け取った場合(Ｓ１９１７のYes)、処理を終了する。
【０１２６】
番組情報表示機器において、テレビから字幕情報を受け取ると、字幕情報管理処理部５３１１は、取得した字幕情報を字幕情報管理データベース５３３１に保存する処理へ進む(Ｓ１９１８)。
保存処理(Ｓ１９１８)の詳細については図１０と同様であるため説明を省略する。図１０のＳ１００は図１９の番組情報表示機器の処理開始と対応している。図１０のＳ１０１は図１９のＳ１９１９と対応している。また、ここでは、番組情報表示機器の保存処理であるため、字幕情報管理処理部３４１１が処理を実行し、字幕情報管理データベース３４３１に字幕情報が保存される。
【０１２７】
番組情報表示機器において、保存処理が終了すると、字幕情報管理処理部３４１１は、Ｓ１９１８で保存した字幕情報を出力装置３３へ出力する(Ｓ１９１９)。続いて、字幕情報管理処理部３４１１は、テレビから字幕情報が新たに届いたか否かを確認する(Ｓ１９２０)。届いた場合(Ｓ１９２０のYes)、保存処理(Ｓ１９１８)からＳ１９２０までの処理が繰り返される。届いていない場合(Ｓ１９２０のNo)、処理を終了する。Ｓ１９０７以降の処理は５秒に１回繰り返し実施され、番組情報表示機器に表示される字幕情報は５秒に１回更新される。
【０１２８】
尚、本実施例では文字情報の例として、字幕情報を用いて説明したが、使用する文字情報はテロップ情報であってもよい。その場合は、字幕情報管理処理部２５１１、字幕情報管理処理部５３１１、字幕情報管理データベース２５３１、字幕情報管理データベース５３３１が、それぞれテロップ情報管理処理部２５１２、テロップ情報管理処理部５３１２、テロップ情報管理データベース２５３２、字幕情報管理データベース５３３２と置き換わり処理が実行され、扱う文字情報は字幕情報からテロップ情報となる。
【０１２９】
また、本実施例では、受信機能集合装置２３が常時起動している受信装置２３１を有している場合を用いて説明したが、常時起動している受信装置はいくつあってもよい。
また、本実施例では、受信機能集合装置２３が未起動の受信装置２３２、２３３を有している場合を用いて説明したが、未起動の受信装置はいくつあってもよい。
【０１３０】
尚、本実施例では、受信機能集合装置５３が常時起動している受信装置５２１を有している場合を用いて説明したが、常時起動している受信装置はいくつあってもよい。
また、本実施例では、受信機能集合装置５３が未起動の受信装置５２２、５２３を有している場合を用いて説明したが、未起動の受信装置はいくつあってもよい。
【０１３１】
本実施形態によれば、受信装置付き機器はテレビへ複数番組の字幕情報を送信する機能を持ち、テレビは複数番組の字幕情報を取得する機能および番組情報表示機器へ複数番組の字幕情報を送信する機能を持ち、番組情報表示機器は複数番組の字幕情報を保存し、表示する機能を持つ。テレビは、番組情報表示機器から文字情報を要求された場合、まず常時起動している受信装置から取得し保存した字幕情報を優先的に送信するため、番組情報表示機器利用者は情報要求後、字幕情報の送信時間相当を待つだけで字幕情報を確認することができる。また、テレビは、字幕情報を送信後、別の受信装置を起動させて字幕情報を取得するとともに、周辺の受信装置付き機器へ字幕情報を要求し取得できるため、複数番組の字幕情報を実施例３と比べてより早く表示できる。また、字幕情報を取得する度に番組情報表示機器へ送信するため、番組情報表示機器利用者は常に何らかの字幕情報を閲覧可能となるので、情報確認までの待ち時間を気にすることなく、字幕情報を確認できる。
また、番組情報表示機器は、テレビに対する字幕情報要求を５秒に１回繰り返し実施し、テレビは番組情報表示機器からの要求に応じて字幕情報を送信するため、番組情報表示機器利用者は番組の進行に合わせて複数番組の字幕情報を確認することができる。
【実施例７】
【０１３２】
以下、本実施例におけるテレビが字幕情報の取得を停止しているとき、取得済みの字幕情報を番組情報表示機器に送信し、番組情報表示機器が受信した字幕情報を表示するまでの処理シーケンスを図２０に基づいて説明する。本実施例の構成は図１に示した通りである。
番組情報表示機器において、情報要求管理処理部３４４がテレビへ字幕情報を要求する(Ｓ２００１)。テレビにおいて、字幕情報管理処理部２５１１が字幕情報管理データベース２５３１を参照して、字幕情報の有無を確認し、状況通知管理処理部２５２へ通知する(Ｓ２００２)。状況通知管理処理部２５２は、字幕情報の有無を番組情報表示機器へ通知する(Ｓ２００３)。字幕情報がない場合(Ｓ２００２のNo)、番組情報表示機器へ通知後処理を終了する。字幕情報がある場合(Ｓ２００２のYes)、番組情報表示機器へ通知後処理を継続する。
【０１３３】
番組情報表示機器において、状況受付管理処理部３４２はテレビから通知を受けると、受け取った通知内容に基づいて、テレビが字幕情報を持っているかを判定する(Ｓ２００４)。テレビが字幕情報を持っていない場合(Ｓ２００４のNo)、処理を終了する。テレビが字幕情報を持っている場合(Ｓ２００４のYes)、字幕情報管理処理部３５１はテレビから字幕情報が送られた後保存処理へ進む(Ｓ２００７)。
【０１３４】
テレビにおいて、字幕情報管理処理部２５１１は、字幕情報管理データベース２５３１を参照して、表示／送信状況が未完である字幕情報を番組情報表示機器へ送信する(Ｓ２００５)。続けて字幕情報管理処理部２５１１は、字幕情報管理データベース２５３１を参照して、表示／送信状況が未完である字幕情報の有無を確認する(Ｓ２００６)。表示／送信状況が未完である字幕情報がある場合(Ｓ２００６のYes)、Ｓ２００６の処理が繰り返される。表示／送信状況が未完である字幕情報がない場合(Ｓ２００６のYes)、処理を終了する。
【０１３５】
続けて、番組情報表示機器において、Ｓ２００５にてテレビから字幕情報を受け取った後、字幕情報管理処理部５３１１は、取得した字幕情報を字幕情報管理データベース５３３１に保存する処理へ進む(Ｓ２００７)。
保存処理(Ｓ２００７)の詳細については図１０と同様であるため説明を省略する。図１０のＳ１００は図２０のＳ２００４と対応している。図１０のＳ１０１は図２０のＳ２００８と対応している。また、ここでは、番組情報表示機器の保存処理であるため、字幕情報管理処理部３４１１が処理を実行し、字幕情報管理データベース３４３１に字幕情報が保存される。
【０１３６】
番組情報表示機器において、保存処理が終了すると、字幕情報管理処理部３４１１は、Ｓ２００７で保存した字幕情報を出力装置３３へ出力し、例えば番組情報表示機器自身が有する表示部に字幕情報を表示する(Ｓ２００８)。続いて、字幕情報管理処理部３４１１は、テレビから字幕情報が新たに届いたか否かを確認する(Ｓ２００９)。届いた場合(Ｓ２００９のYes)、保存処理(Ｓ２００７)からＳ２００９までの処理が繰り返される。届いていない場合(Ｓ２００９のNo)、処理を終了する。
【０１３７】
図２１は、字幕情報を取得した番組情報表示機器の画面構成例である。図では011から061までの放送局の字幕情報のみが表示されているが、スクロールさせることで他の放送局の字幕情報も表示可能である。本実施例ではテレビが取得済みの過去の字幕情報を表示するため、「過去」が強調表示されている。
【０１３８】
尚、本実施例のテレビは、事前に字幕情報を保存済みであるのでアンテナと接続されていなくてもよい。
また、本実施例では文字情報の例として、字幕情報を用いて説明したが、使用する文字情報はテロップ情報であってもよい。その場合は、字幕情報管理処理部２５１１がテロップ情報管理処理部２５１２と置き換わり処理が実行され、扱う文字情報は字幕情報からテロップ情報となる。
【０１３９】
本実施形態によれば、テレビは番組情報表示機器へ複数番組の字幕情報を送信する機能を持ち、番組情報表示機器は複数番組の字幕情報を保存し、表示する機能を持つ。テレビは、番組情報表示機器から文字情報を要求された場合、放映済み番組の字幕情報を取得済みであれば、番組情報表示機器へ送信するため、番組情報表示機器利用者は、放映済み番組の字幕情報であっても確認することができる。
【実施例８】
【０１４０】
以下、本実施例におけるテレビが字幕情報の取得を停止しているとき、取得済みの字幕情報をテレビに表示するまでの処理シーケンスを図２２に基づいて説明する。本実施例の構成は図７に示した通りである。
【０１４１】
テレビにおいて、字幕情報管理処理部２５１１が字幕情報管理データベース２５３１を参照して、字幕情報の有無を確認する(Ｓ２２０１)。字幕情報がない場合(Ｓ２２０１のNo)、処理を終了する。字幕情報がある場合(Ｓ２２０１のYes)、字幕情報管理処理部２５１１は、字幕情報を出力装置２４へ出力する(Ｓ２２０２)。続いて、字幕情報管理処理部２５１１は、未表示の字幕情報があるか否かを確認する(Ｓ２２０３)。未表示の字幕情報がある場合(Ｓ２２０３のYes)、Ｓ２２０２からＳ２２０３までの処理が繰り返される。未表示の字幕情報がない場合(Ｓ２２０３のNo)、処理を終了する。
【０１４２】
図２３は、字幕情報を表示したテレビの画面構成例である。図では011から061までの放送局の字幕情報のみが表示されているが、スクロールさせることで他の放送局の字幕情報も表示可能である。本実施例ではテレビが取得済みの過去の字幕情報を表示するため、「過去」が強調表示されている。
【０１４３】
図２４は、図２３と同じく字幕情報を取得したテレビの画面構成例である。動画表示領域を大きくとることで番組視聴の利便性により配慮した構成であるが、図２３の説明と同じくスクロールで他の放送局の字幕情報も表示可能である。そのため、図２３でも図２４の画面構成であっても本発明の効果は変わらない。
【０１４４】
尚、本実施例では文字情報の例として、字幕情報を用いて説明したが、使用する文字情報はテロップ情報であってもよい。その場合は、字幕情報管理処理部２５１１がテロップ情報管理処理部２５１２と置き換わり処理が実行され、扱う文字情報は字幕情報からテロップ情報となる。
本実施形態によれば、テレビは複数番組の字幕情報を保存し、表示する機能を持つ。テレビは、放映済み番組の字幕情報を取得済みであれば、表示するため、テレビ利用者は、放映済み番組の字幕情報であっても確認することができる。
【実施例９】
【０１４５】
以下、本実施例におけるテレビが字幕情報を取得し、番組情報表示機器(データベースなし)に送信し、番組情報表示機器(データベースなし)が受信した字幕情報を表示するまでの処理シーケンスについて、図２６を用いて説明する。本実施例の構成は図１に示した通りである。また本実施例における番組情報表示機器(データベースなし)の概略構成は、先に図２５で示した通りである。
【０１４６】
テレビにおいて、受信装置管理処理部２５６は、常時起動している受信装置２３１に番組データを受信させる(Ｓ２６０１)。次に字幕情報管理処理部２５１１は、受信装置２３１が受信したデジタル番組データから字幕情報を抽出し(Ｓ２６０２)、字幕情報管理処理部２５１１は、抽出した字幕情報を字幕情報管理データベース２５３１に保存する処理へ進む(Ｓ２６０３)。保存処理(Ｓ２６０３)の詳細については図１０と同様であるため説明を省略する。図１０のＳ１００は図２６のＳ２６０２と対応している。図１０のＳ１０１は図２６のＳ２６０９と対応している。
【０１４７】
次に、番組情報表示機器(データベースなし)において、情報要求管理処理部３４４がテレビへ字幕情報を要求する(Ｓ２６０４)。テレビにおいて、接続要求受付管理処理部２５５は、番組情報表示機器(データベースなし)から字幕情報の要求を受けると字幕情報管理処理部２５１１へ通知し、字幕情報管理処理部２５１１が字幕情報管理データベース２５３１を参照して、表示／送信状況が未完である字幕情報を番組情報表示機器(データベースなし)へ送信する(Ｓ２６０５)。番組情報表示機器(データベースなし)において、字幕情報表示処理部２５０４１１が字幕情報を受信して、出力装置２５０３へ出力し、例えば番組情報表示機器(データベースなし)自身が有する表示部に字幕情報を表示する(Ｓ２６０６)。続いて、字幕情報表示処理部２５０４１１は、テレビから字幕情報が新たに届いたか否かを確認する(Ｓ２６０７)。届いた場合(Ｓ２６０７のYes)、Ｓ２６０６からＳ２６０７までの処理が繰り返される。届いていない場合(Ｓ２６０７のNo)、処理を終了する。
【０１４８】
テレビにおいて、Ｓ２６０３が終了すると、受信装置２３２、２３３から字幕情報を抽出する処理へ進む(Ｓ２６０８)。字幕情報抽出処理は図１１と同様であるため説明を省略する。ただし、図１１のＳ１１０が図２６のＳ２６０３と対応しており、図１１のＳ１１１が図２６のテレビの処理の終了と対応している。Ｓ２６０４以降の処理は５秒に１回繰り返し実施され、番組情報表示機器(データベースなし)に表示される字幕情報は５秒に１回更新される。
【０１４９】
尚、画面構成例は図１０と同様で良い。
また、本実施例では、文字情報の例として、字幕情報を用いて説明したが、文字情報はテロップ情報であってもよい。その場合は、字幕情報表示処理部２５０４１１がテロップ情報管理処理部２５０４１２と置き換わり処理が実行され、扱う文字情報は字幕情報からテロップ情報となる。
【０１５０】
尚、本実施例では、受信機能集合装置２３が常時起動している受信装置２３１を有している場合を用いて説明したが、常時起動している受信装置はいくつあってもよい。
また、本実施例では、受信機能集合装置２３が未起動の受信装置２３２、２３３を有している場合を用いて説明したが、未起動の受信装置はいくつあってもよい。
【０１５１】
本実施形態によれば、得られる効果は実施例１に記載したものと同様であるが、さらに、番組情報表示機器がデータベースを持たない場合であっても、複数番組の番組情報を表示できる。そのため、番組情報表示機器を開発する際、図３で示した構成で開発するよりもより安価に開発することができる。
また、実施例３、実施例６、実施例７について、番組情報表示機器(データベースなし)を適用した場合も本発明の効果は変わらない。その際は、図１６のＳ１６１３、図１９のＳ１９１８、図２０のＳ２００７の処理が省略される。また、図２０のＳ２００４において、状況受付管理処理部３４１が状況受付管理処理部２５０４２と置き換わり処理が実行される。
【０１５２】
本発明は、これまで述べた実施形態に限定されるものではない。例えば機器のブロック図やフロー図において、様々な変更を施した例を考えることができるが、いずれも本発明の範疇にある。
【符号の説明】
【０１５３】
２１：通信装置、２２：入力装置、２３：受信機能集合装置、２４：出力装置、２５：記録装置、２６：制御装置、３１：通信装置、３２：入力装置、３３：出力装置、３４：記録装置、３５：制御装置、５１：通信装置、５２：受信機能集合装置、５３：記録装置、５４：制御装置、２５０１：通信装置、２５０２：入力装置、２５０３：出力装置、２５０４：記録装置、２５０５：制御装置。
【図１】
2012010152.tif 000003
【図２】
2012010152.tif 000004
【図３】
2012010152.tif 000005
【図４】
2012010152.tif 000006
【図５】
2012010152.tif 000007
【図６】
2012010152.tif 000008
【図７】
2012010152.tif 000009
【図８】
2012010152.tif 000010
【図９】
2012010152.tif 000011
【図１０】
2012010152.tif 000012
【図１１】
2012010152.tif 000013
【図１２】
2012010152.tif 000014
【図１３】
2012010152.tif 000015
【図１４】
2012010152.tif 000016
【図１５】
2012010152.tif 000017
【図１６】
2012010152.tif 000018
【図１７】
2012010152.tif 000019
【図１８】
2012010152.tif 000020
【図１９】
2012010152.tif 000021
【図２０】
2012010152.tif 000022
【図２１】
2012010152.tif 000023
【図２２】
2012010152.tif 000024
【図２３】
2012010152.tif 000025
【図２４】
2012010152.tif 000026
【図２５】
2012010152.tif 000027
【図２６】
2012010152.tif 000028